(57)【要約】【課題】  放電ディスプレイパネルの駆動方法を提供する。【解決手段】  それぞれのサブフィールドが第１アドレッシング時間、第１ディスプレイ維持時間、第２アドレッシング時間、及び第２ディスプレイ維持時間を含む。第１アドレッシング時間では、選択されたディスプレイセルに所定の壁電圧が生成される。第１ディスプレイ維持時間では、第１アドレッシング時間が終了されれば、選択されたディスプレイセルでそれぞれのサブフィールドの階調加重値に比例した時間の間にディスプレイ維持放電が起きる。第２アドレッシング時間では、第１ディスプレイ維持時間が終了されれば、選択されたディスプレイセルに所定の壁電圧が生成される。第２ディスプレイ維持時間では、第２アドレッシング時間が終了されれば、選択されたディスプレイセルでそれぞれのサブフィールドの階調加重値に比例した時間の間にディスプレイ維持放電が起きる。【選択図】図４
2005122117.tif 000002
【特許請求の範囲】
【請求項１】
ディスプレイ電極ライン対が平行に形成され、アドレス電極ラインが前記ディスプレイ電極ライン対と離隔及び交差するように形成される放電ディスプレイパネルにおいて、複数のサブフィールドを単位フレームに含めて時分割駆動により階調ディスプレイを行うが、少なくとも一つのディスプレイ電極ライン対が一つのディスプレイ電極−ライン対グループに含まれるように前記ディスプレイ電極ライン対を少なくとも第１及び第２ディスプレイ電極−ライン対グループにグループ化して駆動する放電ディスプレイパネルの駆動方法において、
前記それぞれのサブフィールドが、
前記第１ディスプレイ電極−ライン対グループのディスプレイセルのうちから選択されたディスプレイセルに所定の壁電圧が生成される第１アドレッシング時間と、
前記第１アドレッシング時間が終了されれば、前記第１ディスプレイ電極−ライン対グループのディスプレイセルのうち前記選択されたディスプレイセルで前記それぞれのサブフィールドの階調加重値に比例した時間の間にディスプレイ維持放電が起きる第１ディスプレイ維持時間と、
前記第１ディスプレイ維持時間が終了されれば、前記第２ディスプレイ電極−ライン対グループのディスプレイセルのうちから選択されたディスプレイセルに所定の壁電圧が生成される第２アドレッシング時間と、
前記第２アドレッシング時間が終了されれば、前記第１及び第２ディスプレイ電極−ライン対グループのディスプレイセルのうち前記選択されたディスプレイセルで前記それぞれのサブフィールドの階調加重値に比例した時間の間にディスプレイ維持放電が起きる第２ディスプレイ維持時間と、を含む放電ディスプレイパネルの駆動方法。
【請求項２】
前記第１ディスプレイ維持時間で、
前記第１ディスプレイ電極−ライン対グループのディスプレイセルに交流電圧が印加される請求項１に記載の放電ディスプレイパネルの駆動方法。
【請求項３】
前記交流電圧によって前記第１ディスプレイ電極−ライン対グループの選択されたディスプレイセルで起きる放電の回数が前記それぞれのサブフィールドの階調加重値に比例する請求項２に記載の放電ディスプレイパネルの駆動方法。
【請求項４】
前記第２ディスプレイ維持時間で、
前記第１及び第２ディスプレイ電極−ライン対グループのディスプレイセルに交流電圧が印加される請求項１に記載の放電ディスプレイパネルの駆動方法。
【請求項５】
前記交流電圧によって前記第１及び第２ディスプレイ電極−ライン対グループの選択されたディスプレイセルで起きる放電の回数が前記それぞれのサブフィールドの階調加重値に比例する請求項４に記載の放電ディスプレイパネルの駆動方法。
【請求項６】
前記それぞれのサブフィールドが、
前記アドレッシング時間の開始前に前記少なくとも第１及び第２ディスプレイ電極−ライン対グループのあらゆるディスプレイの電荷状態が均一になるリセット時間をさらに含む請求項１に記載の放電ディスプレイパネルの駆動方法。
【請求項７】
前記それぞれのサブフィールドが、
前記第２ディスプレイ維持時間が終了されれば、前記サブフィールドの階調加重値の時間のうちから前記第１及び第２ディスプレイ維持時間を差し引いた残り時間の間に、前記第１及び第２ディスプレイ電極−ライン対グループのディスプレイセルのうちから前記選択されたディスプレイセルがディスプレイ維持放電を起こす共通ディスプレイ維持時間をさらに含む請求項１に記載の放電ディスプレイパネルの駆動方法。
【請求項８】
前記それぞれのサブフィールドが、
前記共通ディスプレイ維持時間が終了されれば、前記第２ディスプレイ電極−ライン対グループのディスプレイセルのうちから前記選択されたディスプレイセルが前記サブフィールドの階調加重値に比例した時間の間にディスプレイ維持放電を起こす補正時間をさらに含む請求項７に記載の放電ディスプレイパネルの駆動方法。
【請求項９】
前記それぞれのサブフィールドが、
前記第２ディスプレイ維持時間が終了されれば、前記第２ディスプレイ電極−ライン対グループのディスプレイセルのうちから前記選択されたディスプレイセルが前記サブフィールドの階調加重値に比例した時間の間にディスプレイ維持放電を起こす補正時間をさらに含む請求項１に記載の放電ディスプレイパネルの駆動方法。
【発明の詳細な説明】
【技術分野】
【０００１】
本発明は、放電ディスプレイパネルの駆動方法に係り、より詳細には、ディスプレイ電極ライン対が平行に形成され、アドレス電極ラインがディスプレイ電極ライン対と離隔及び交差するように形成される放電ディスプレイパネルにおいて、複数のサブフィールドを単位フレームに含めて時分割駆動により階調ディスプレイを行う放電ディスプレイパネルの駆動方法に関する。
【背景技術】
【０００２】
図１は、通常的な放電ディスプレイパネル、例えば３電極面放電方式のプラズマディスプレイパネル（ＰＤＰ）の構造を示す。図２は、図１のパネルの一ディスプレイセルの例を示す。図１及び２を参照すれば、通常的な面放電ＰＤＰ１の前方及び背面ガラス基板１０、１３の間には、アドレス電極ラインＡＲ１，ＡＧ１，・・・，ＡＧｍ，ＡＢｍ、誘電層１１、１５、Ｙ電極ラインＹ１，・・・，Ｙｎ、Ｘ電極ラインＸ１，・・・，Ｘｎ、蛍光層１６、隔壁１７、及び保護層としての一酸化マグネシウム（ＭｇＯ）層１２が設けられている。
【０００３】
アドレス電極ラインＡＲ１，ＡＧ１，・・・，ＡＧｍ，ＡＢｍは、背面ガラス基板１３の前方に一定のパターンに形成される。下方誘電層１５は、アドレス電極ラインＡＲ１，ＡＧ１，・・・，ＡＧｍ，ＡＢｍの前方で全面塗布される。下方誘電層１５の前方には隔壁１７がアドレス電極ラインＡＲ１，ＡＧ１，・・・，ＡＧｍ，ＡＢｍと平行した方向に形成される。この隔壁１７は各ディスプレイセルの放電領域を区画し、各ディスプレイセル間の光学的干渉を防止する機能をする。蛍光層１６は、隔壁１７の間で形成される。
【０００４】
ディスプレイ電極ライン対をなすＸ電極ラインＸ１，・・・，ＸｎとＹ電極ラインＹ１，・・・，Ｙｎとは、アドレス電極ラインＡＲ１，ＡＧ１，・・・，ＡＧｍ，ＡＢｍと直交するように前面ガラス基板１０の後方に一定のパターンに形成される。各交差点は相応するディスプレイセルを設定する。各Ｘ電極ラインＸ１，・・・，Ｘｎと各Ｙ電極ラインＹ１，・・・，Ｙｎとは、ＩＴＯ（Ｉｎｄｉｕｍ  Ｔｉｎ  Ｏｘｉｄｅ）などのような透明な導電性材質の透明電極ライン（図２のＸｎｂ，Ｙｎｂ）と伝導度を高めるための金属電極ライン（図２のＸｎｂ，Ｙｎｂ）とが結合されて形成される。前方誘電層１１は、Ｘ電極ラインＸ１，・・・，ＸｎとＹ電極ラインＹ１，・・・，Ｙｎとの後方に全面塗布されて形成される。強い電界からパネル１を保護するための保護層１２、例えば一酸化マグネシウム（ＭｇＯ）層は前方誘電層１１の後方に全面塗布されて形成される。放電空間１４にはプラズマ形成用ガスが密封される。
【０００５】
このようなＰＤＰに基本的に適用される駆動方法においては、リセット、アドレス、及びディスプレイ-維持段階が単位サブフィールドで順次に行われる。リセット段階ではあらゆるディスプレイセルの電荷状態が均一になる。アドレッシング段階では、選択されたディスプレイセルに所定の壁電圧が生成される。ディスプレイ維持段階では、あらゆるＸＹ電極ライン対に所定の交流電圧が印加されることによって、アドレッシング段階で前記壁電圧が形成されたディスプレイセルがディスプレイ維持放電を起こす。このディスプレイ維持段階において、ディスプレイ維持放電を起こす選択されたディスプレイセルの放電空間１４、すなわちガス層でプラズマが形成され、その紫外線放射によって蛍光層（図１の１６）が励起されて光が発生する。
【０００６】
図３を参照すれば、図１のＰＤＰ１の通常的な駆動装置は、映像処理部６６、制御部６２、アドレス駆動部６３、Ｘ駆動部６４、及びＹ駆動部６５を含む。映像処理部６６は、外部アナログ映像信号をデジタル信号に変換して内部映像信号、例えば、それぞれ８ビットの赤色（Ｒ）、緑色（Ｇ）及び青色（Ｂ）映像データ、クロック信号、垂直及び水平同期信号を発生させる。制御部６２は、映像処理部６６からの内部映像信号によって駆動制御信号ＳＡ、ＳＹ、ＳＸを発生させる。アドレス駆動部６３は、制御部６２からの駆動制御信号ＳＡ、ＳＹ、ＳＸのうちからアドレス信号ＳＡを処理してディスプレイデータ信号を発生させ、発生したディスプレイデータ信号をアドレス電極ラインに印加する。Ｘ駆動部６４は、制御部６２からの駆動制御信号ＳＡ、ＳＹ、ＳＸのうちからＸ駆動制御信号ＳＸを処理してＸ電極ラインに印加する。Ｙ駆動部６５は、制御部６２からの駆動制御信号ＳＡ、ＳＹ、ＳＸ中うちからＹ駆動制御信号ＳＹを処理してＹ電極ラインに印加する。
【０００７】
前記のような ＰＤＰ１の駆動装置によって行われる通常的な駆動方法において、アドレス−ディスプレイ分離駆動方法が挙げられる（特許文献１参照）。このアドレス−ディスプレイ分離駆動方法では、単位フレームに含まれた各サブフィールドでアドレッシング時間とディスプレイ維持時間が互いに分離されている。したがって、アドレッシング時間で各ＸＹ電極ライン対が自体のアドレッシングが行われた後に他のＸＹ電極ライン対が全てアドレッシングされるまで待たねばならない。このようにアドレッシングが行われた後の待機時間の存在により各ディスプレイセルの壁電荷状態が不均一になって、アドレッシング時間の終了時点で始まるディスプレイ維持時間でディスプレイ維持放電の精度が落ちるという問題点がある。
【特許文献１】米国特許第５，５４１，６１８号公報
【発明の開示】
【発明が解決しようとする課題】
【０００８】
本発明の目的は、放電ディスプレイパネルの駆動方法において、放電セルのアドレッシング後に他のＸＹ電極ライン対が全てアドレッシングされるまでの待機時間を短縮することによって、アドレッシング時間の終了時点で始まるディスプレイ維持時間でディスプレイ維持放電の精度を高めうる放電ディスプレイパネルの駆動方法を提供することである。
【０００９】
本発明の他の目的は、複数のサブフィールドを単位フレームに含めて時分割駆動により階調ディスプレイを行う放電ディスプレイパネルの駆動方法において、不完全なアドレッシングによって選択されたディスプレイセルでディスプレイ維持放電が起きない現象を効率的に防止できる放電ディスプレイパネルの駆動方法を提供することである。
【課題を解決するための手段】
【００１０】
前記目的を達成するための本発明は、ディスプレイ電極ライン対が平行に形成され、アドレス電極ラインが前記ディスプレイ電極ライン対と離隔及び交差するように形成される放電ディスプレイパネルにおいて、複数のサブフィールドを単位フレームに含めて時分割駆動により階調ディスプレイを行うが、少なくとも一ディスプレイ電極ライン対が一ディスプレイ電極−ライン対グループに含まれるように前記ディスプレイ電極ライン対を少なくとも第１及び第２ディスプレイ電極−ライン対グループにグループ化して駆動する放電ディスプレイパネルの駆動方法である。ここで、前記それぞれのサブフィールドが第１アドレッシング時間、第１ディスプレイ維持時間、第２アドレッシング時間、及び第２ディスプレイ維持時間を含む。前記第１アドレッシング時間では、前記第１ディスプレイ電極−ライン対グループのディスプレイセルのうちから選択されたディスプレイセルに所定の壁電圧が生成される。前記第１ディスプレイ維持時間では、前記第１アドレッシング時間が終了されれば、前記第１ディスプレイ電極−ライン対グループのディスプレイセルのうち前記選択されたディスプレイセルで前記それぞれのサブフィールドの階調加重値に比例した時間の間にディスプレイ維持放電が起きる。前記第２アドレッシング時間では、前記第１ディスプレイ維持時間が終了されれば、前記第２ディスプレイ電極−ライン対グループのディスプレイセルのうちから選択されたディスプレイセルに所定の壁電圧が生成される。前記第２ディスプレイ維持時間では、前記第２アドレッシング時間が終了されれば、前記第１及び第２ディスプレイ電極−ライン対グループのディスプレイセルのうち前記選択されたディスプレイセルで前記それぞれのサブフィールドの階調加重値に比例した時間の間にディスプレイ維持放電が起きる。
【００１１】
前記本発明の放電ディスプレイパネルの駆動方法によれば、前記それぞれのサブフィールドで、前記第１ディスプレイ電極−ライン対グループに対するアドレッシングが行われた後に前記第２ディスプレイ電極−ライン対グループに対するアドレッシングより前記第１ディスプレイ電極−ライン対グループに対するディスプレイ維持放電が先に行われる。これにより、放電セルのアドレッシング後に他のＸＹ電極ライン対が全てアドレッシングされるまでの待機時間が短縮されるので、アドレッシング時間の終了時点で始まるディスプレイ維持時間でディスプレイ維持放電の精度が高まりうる。
【００１２】
また、前記ディスプレイ維持時間がそれぞれのサブフィールドの階調加重値に比例するので、不完全なアドレッシングによって選択されたディスプレイセルでディスプレイ維持放電が起きない現象が高い階調加重値のサブフィールドで防止できる。低い階調加重値のサブフィールドで発生する前記現象は視感的には感じられない。したがって、不完全なアドレッシングによって選択されたディスプレイセルでディスプレイ維持放電が起きない現象が効率的に防止できる。
【発明の効果】
【００１３】
本発明に係る放電ディスプレイパネルの駆動方法によれば、それぞれのサブフィールドで、第１ディスプレイ電極−ライン対グループに対するアドレッシングが完了した後に、第２ディスプレイ電極−ライン対グループに対するアドレッシングより第１ディスプレイ電極−ライン対グループに対するディスプレイ維持放電が先に行われる。これによって、放電セルのアドレッシング後に他のＸＹ電極ライン対が全てアドレッシングされるまでの待機時間が短縮されるので、アドレッシング時間の終了時点で始まるディスプレイ維持時間でディスプレイ維持放電の精度が高まりうる。
【００１４】
また、各ディスプレイ電極−ライン対グループのアドレッシング時間の間に存在するディスプレイ維持時間がそれぞれのサブフィールドの階調加重値に比例するので、不完全なアドレッシングによって選択されたディスプレイセルでディスプレイ維持放電が起きない現象が高い階調加重値のサブフィールドらで防止できる。低い階調加重値のサブフィールドで発生しうる前記現象は視感的に現れない。したがって、不完全なアドレッシングによって選択されたディスプレイセルでディスプレイ維持放電が起きない現象が効率的に防止できる。
【発明を実施するための最良の形態】
【００１５】
本発明の目的と利点を添付した図面に基づき、本発明の望ましい実施の形態を説明することにより明確に説明する。
【００１６】
図４は、本発明の一実施の形態によるアドレス−ディスプレイ混合駆動方法を示す。図４で参照符号ＳＦ１ないしＳＦ５は単位フレーム内でそれぞれ割り当てられたサブフィールドを、Ｙ１ないしＹｎは駆動対象の基準となるＹ電極ラインを、Ｒ１ないしＲ５はリセット時間を、Ａ１ないしＡ５はアドレッシング時間を、ＭＳ１ないしＭＳ５は混合ディスプレイ維持時間を、ＣＳ１ないしＣＳ５は共通ディスプレイ維持時間を、そして、ＡＳ１ないしＡＳ５は補正ディスプレイ維持時間をそれぞれ示す。
【００１７】
図１及び４を参照すれば、サブフィールドＳＦ１ないしＳＦ５のそれぞれは、リセット時間Ｒ１ないしＲ５、アドレッシング時間Ａ１ないしＡ５、混合ディスプレイ維持時間ＭＳ１ないしＭＳ５、共通ディスプレイ維持時間ＣＳ１ないしＣＳ５、及び補正ディスプレイ維持時間ＡＳ１ないしＡＳ５を含む。
【００１８】
リセット時間Ｒ１ないしＲ５ではあらゆるディスプレイセルの電荷状態が均一になる。アドレッシング時間Ａ１ないしＡ５では、選択されたディスプレイセルに所定の壁電圧が生成される。混合ディスプレイ維持時間ＭＳ１ないしＭＳ５では、アドレッシングが完了されたＸＹ電極ライン対に所定の交流電圧が印加されることによって、アドレッシング時間Ａ１ないしＡ５で選択されて所定の壁電圧が形成されたディスプレイセルがディスプレイ維持放電を起こす。
【００１９】
アドレッシング時間Ａ１ないしＡ５と混合ディスプレイ維持時間ＭＳ１ないしＭＳ５と同じ時間領域を有する。したがって、アドレッシング時間Ａ１ないしＡ５でのアドレッシング動作と混合ディスプレイ維持時間ＭＳ１ないしＭＳ５でのディスプレイ維持動作は交互になされる。例えば、第１単位時間で第１Ｙ電極ラインＹ１のディスプレイセルにアドレッシングが行われ、それぞれのサブフィールドＳＦ１ないしＳＦ５の階調加重値に比例した第２単位時間で第１ディスプレイ電極ライン対、すなわち、ＸＹ電極ライン対Ｘ１Ｙ１に交流電圧が印加され、第３単位時間で第２Ｙ電極ラインＹ２のディスプレイセルにアドレッシングが行われ、それぞれのサブフィールドＳＦ１ないしＳＦ５の階調加重値に比例した第４単位時間で第１及び第２ＸＹ電極ライン対Ｘ１Ｙ１、Ｘ２Ｙ２に交流電圧が印加され、第５単位時間で第３Ｙ電極ラインＹ３のディスプレイセルにアドレッシングが行われ、それぞれのサブフィールドＳＦ１ないしＳＦ５の階調加重値に比例した第６単位時間で第１ないし第３ＸＹ電極ライン対Ｘ１Ｙ１ないしＸ３Ｙ３に交流電圧が印加される。このような過程を一般化すれば、アドレッシング時間Ａ１ないしＡ５及び混合ディスプレイ維持時間ＭＳ１ないしＭＳ５の奇数番目の単位時間ごとにそれぞれのＹ電極ラインＹ１ないしＹｎに対してアドレッシング動作が行われ、アドレッシング動作が完了したＹ電極ラインまたはラインらに対してそれぞれのサブフィールドＳＦ１ないしＳＦ５の階調加重値に比例した偶数番目の単位時間ごとにディスプレイ維持動作が行われる。
【００２０】
これによって、放電セルのアドレッシング後に他のＸＹ電極ライン対が全てアドレッシングされるまでの待機時間が短縮されるので、アドレッシング時間の終了時点で始まるディスプレイ維持時間でディスプレイ維持放電の精度が高まりうる。また、混合ディスプレイ維持時間ＭＳ１ないしＭＳ５でのディスプレイ維持時間がそれぞれのサブフィールドＳＦ１ないしＳＦ５の階調加重値に比例するので、不完全なアドレッシングによって選択されたディスプレイセルでディスプレイ維持放電が起きない現象が高い階調加重値のサブフィールドで防止できる。低い階調加重値のサブフィールドで発生可能な前記現象は視感的に現れない。したがって、不完全なアドレッシングによって選択されたディスプレイセルでディスプレイ維持放電が起きない現象が効率的に防止できる。
【００２１】
一方、混合ディスプレイ維持時間ＭＳ１ないしＭＳ５だけであらゆるＹ電極ラインＹ１ないしＹｎに対して必要ディスプレイ維持時間が充足できないサブフィールドの場合、共通ディスプレイ維持時間ＣＳ１ないしＣＳ５及び補正ディスプレイ維持時間ＡＳ１ないしＡＳ５が必要である。各サブフィールドの必要ディスプレイ維持時間により設定された共通ディスプレイ維持時間ＣＳ１ないしＣＳ５では、あらゆるＸＹ電極ライン対Ｘ１Ｙ１ないしＸｎＹｎに交流電圧が印加される。より詳細には、共通ディスプレイ維持時間ＣＳ１ないしＣＳ５は、それぞれのサブフィールドの階調加重値の時間で前記混合ディスプレイ維持時間ＭＳ１ないしＭＳ５のうちから第１ＸＹ電極ライン対Ｘ１Ｙ１のディスプレイ維持時間を差し引いた残り時間である。補正ディスプレイ維持時間ＡＳ１ないしＡＳ５では、各サブフィールドの必要ディスプレイ維持時間が充足されていないＸＹ電極ライン対Ｘ１Ｙ１ないしＸｎＹｎのそれぞれに対して相異なるように設定された時間の間に交流電圧が印加されることによって、あらゆるＹ電極ラインＹ１ないしＹｎに対して必要ディスプレイ維持時間が充足される。
【００２２】
もちろん、より短い必要ディスプレイ維持時間が適用されるサブフィールドの場合（図４の場合には該当されるサブフィールドがなく、図５のＳＦ１とＳＦ２が該当される）、共通ディスプレイ維持時間ＣＳ１ないしＣＳ５が追加されず補正ディスプレイ維持時間ＡＳ１ないしＡＳ５だけ追加される。
【００２３】
図５は、本発明のさらに他の実施の形態によるアドレス−ディスプレイ混合駆動方法を示す。図５における図４と同じ参照符号は同じ機能の対象を示す。図５で参照符号ＹＧ１ないしＹＧ８はＹ電極ラインＹ１ないしＹｎが所属されたディスプレイ電極−ライン対グループを示す。例えば、Ｙ電極ラインＹ１ないしＹｎが４８０個である場合、第１ないし第６０Ｙ電極ライン（Ｙ１ないしＹ６０）が第１ディスプレイ電極−ライン対グループＹＧ１に、第６１ないし第１２０Ｙ電極ライン（Ｙ６１ないしＹ１２０）が第２ディスプレイ電極−ライン対グループＹＧ２に、第１２１ないし第１８０Ｙ電極ライン（Ｙ１２１ないしＹ１８０）が第３ディスプレイ電極−ライン対グループＹＧ３に、第１８１ないし第２４０Ｙ電極ライン（Ｙ１８１ないしＹ２４０）が第４ディスプレイ電極−ライン対グループＹＧ４に、第２４１ないし第３００Ｙ電極ライン（Ｙ２４１ないしＹ３００）が第５ディスプレイ電極−ライン対グループＹＧ５に、第３０１ないし第３６０Ｙ電極ライン（Ｙ３０１ないしＹ３６０）が第６ディスプレイ電極−ライン対グループＹＧ６に、第３６１ないし第４２０Ｙ電極ライン（Ｙ３６１ないしＹ４２０）が第７ディスプレイ電極−ライン対グループＹＧ７に、そして第４２１ないし第４８０Ｙ電極ライン（Ｙ４２１ないしＹ４８０）が第８ディスプレイ電極−ライン対グループＹＧ８にそれぞれ所属される。
【００２４】
図１及び５を参照すれば、第１及び第２サブフィールドＳＦ１、ＳＦ２のそれぞれは、リセット時間Ｒ１、Ｒ２、アドレッシング時間Ａ１、Ａ２、混合ディスプレイ維持時間ＭＳ１、ＭＳ２、及び補正ディスプレイ維持時間ＡＳ１、ＡＳ２を含む。一方、第３ないし第５サブフィールドＳＦ３ないしＳＦ５のそれぞれは、リセット時間Ｒ３ないしＲ５、アドレッシング時間Ａ３ないしＡ５、混合ディスプレイ維持時間ＭＳ３ないしＭＳ５、共通ディスプレイ維持時間ＣＳ３ないしＣＳ５、及び補正ディスプレイ維持時間ＡＳ３ないしＡＳ５を含む。図４を参照して説明したように、第１及び第２サブフィールドＳＦ１、ＳＦ２のそれぞれは、他のサブフィールドＳＦ３ないしＳＦ５のそれぞれに比べてより短い必要ディスプレイ維持時間が適用されるので、共通ディスプレイ維持時間が追加されず補正ディスプレイ維持時間ＡＳ１、ＡＳ２だけ追加される。その他に図４の駆動方法との差異点は、図４の駆動方法がＹ電極ライン単位で適用される一方、図５の駆動方法がディスプレイ電極−ライン対グループ単位で適用されるということである。
【００２５】
図６を参照して図５のアドレス−ディスプレイ混合駆動方法で第４サブフィールドＳＦ４の駆動過程を例えて詳細に説明すれば次の通りである。参考までに、図６の第４サブフィールドＳＦ４の場合、あらゆるディスプレイ電極−ライン対グループに対する必要ディスプレイ維持時間は共通ディスプレイ維持時間ＣＳ４に７個の単位時間が加えられた時間である。
【００２６】
リセット時間Ｒ４では、あらゆるディスプレイセルの電荷状態が均一になる。
相等しい時間領域Ａ４ＭＳ４を有するアドレッシング時間（図５のＡ４）と混合ディスプレイ維持時間（図５のＭＳ４）において、アドレッシング時間Ａ４でのアドレッシング動作と混合ディスプレイ維持時間ＭＳ４でのディスプレイ維持動作は交互になされる。例えば、第１単位時間では第１ディスプレイ電極−ライン対グループＹＧ１に対するアドレッシング段階ＡＧ１が進行する。第４サブフィールドＳＦ４の階調加重値に比例した第２単位時間ではアドレッシングが完了した第１ディスプレイ電極−ライン対グループＹＧ１に対するディスプレイ維持段階Ｓ１１が進行する。第３単位時間では第２ディスプレイ電極−ライン対グループに対するアドレッシング段階ＡＧ２が進行する。第４サブフィールドＳＦ４の階調加重値に比例した第４単位時間ではアドレッシングが完了した第１及び第２ディスプレイ電極−ライン対グループＹＧ１、ＹＧ２に対するディスプレイ維持段階Ｓ１２、Ｓ２１が同時に進行する。第５単位時間では第３ディスプレイ電極−ライン対グループＹＧ３に対するアドレッシング段階ＡＧ３が進行する。第４サブフィールドＳＦ４の階調加重値に比例した第６単位時間ではアドレッシングが完了した第１ないし第３ディスプレイ電極−ライン対グループＹＧ１ないしＹＧ３に対するディスプレイ維持段階Ｓ１３、Ｓ２２、Ｓ３１が同時に進行する。このような過程を一般化すれば、相等しい時間領域Ａ４ＭＳ４を有するアドレッシング時間（図５のＡ４）と混合ディスプレイ維持時間（図５のＭＳ４）において、奇数番目の単位時間ＴＡごとにそれぞれのディスプレイ電極−ライン対グループＹＧ１ないしＹＧ８に対してアドレッシング動作が行われ、アドレッシング動作が完了したディスプレイ電極−ライン対グループまたはグループに対して第４サブフィールドＳＦ４の階調加重値に比例した偶数番号目の単位時間ＴＩごとにディスプレイ維持動作が行われる。
【００２７】
第４サブフィールドＳＦ４の必要ディスプレイ維持時間によって設定された共通ディスプレイ維持時間ＣＳ４では、あらゆるディスプレイ電極−ライン対グループＹＧ１ないしＹＧ８に対してディスプレイ維持動作が行われる。すなわち、あらゆるＸＹ電極ライン対Ｘ１Ｙ１ないしＸｎＹｎに交流電圧が印加される。より詳細には、第４サブフィールドＳＦ４の共通ディスプレイ維持時間ＣＳ４は、第４サブフィールドＳＦ４の階調加重値の時間で混合ディスプレイ維持時間ＭＳ４のうちから第１ディスプレイ電極−ライン対グループＹＧ１のディスプレイ維持時間７ＴＩを差し引いた残り時間である。
【００２８】
補正ディスプレイ維持時間ＡＳ４では、第４サブフィールドＳＦ４の必要ディスプレイ維持時間が充足されていないディスプレイ電極−ライン対グループのそれぞれに対して相異なるように設定された時間の間に交流電圧が印加されることによって、あらゆるディスプレイ電極−ライン対グループに対して必要ディスプレイ維持時間が充足される。より詳細には、補正ディスプレイ維持時間ＡＳ４の第１単位時間では第２ないし第８ディスプレイ電極−ライン対グループＹＧ２ないしＹＧ８に対するディスプレイ維持段階が同時に進行する。第２単位時間では第３ないし第８ディスプレイ電極−ライン対グループＹＧ３ないしＹＧ８に対するディスプレイ維持段階が同時に進行する。第３単位時間では第４ないし第８ディスプレイ電極−ライン対グループＹＧ４ないしＹＧ８に対するディスプレイ維持段階が同時に進行する。第４単位時間では第５ないし第８ディスプレイ電極−ライン対グループＹＧ５ないしＹＧ８に対するディスプレイ維持段階が同時に進行する。第５単位時間では第６ないし第８ディスプレイ電極−ライン対グループＹＧ６ないしＹＧ８に対するディスプレイ維持段階が同時に進行する。第６単位時間では第７及び第８ディスプレイ電極−ライン対グループＹＧ７及びＹＧ８に対するディスプレイ維持段階が同時に進行する。最後に、第７単位時間では第８ディスプレイ電極−ライン対グループＹＧ８に対するディスプレイ維持段階が進行する。
【００２９】
図７は、図６の第４サブフィールドＳＦ４で各電極ラインに印加される駆動信号の電圧波形を示す。図７で参照符号ＳＡＲ１・・ＡＢｍはアドレス駆動部（図３の６３）からアドレス電極ライン（図１のＡＲ１ないしＡＢｍ）に印加されるディスプレイデータ信号を、ＳＸ１ないしＳＸｎはＸ駆動部（図３の６４）からあらゆるＸ電極ライン（図１のＸ１，・・・，Ｘｎ）に印加される駆動信号を、ＳＹＧ１ないしＳＹＧ３はＹ駆動部（図３の６５）から各ディスプレイ電極−ライン対グループのＹ電極ラインに印加される駆動信号を、Ｒ４はリセット時間を、Ａ４ＭＳ４はアドレッシング時間（図５のＡ４）と混合ディスプレイ維持時間（図５のＭＳ４）とが共存する時間を、ＣＳ４は共通ディスプレイ維持時間を、そして、ＡＳ４は補正ディスプレイ維持時間をそれぞれ示す。図１、６、及び７を参照して、図６の第４サブフィールドＳＦ４の動作過程をさらに詳細に説明すれば、次の通りである。
【００３０】
まず、リセット時間Ｒ４の動作過程を詳細に説明する。
【００３１】
リセット時間Ｒ４の第１時間では、Ｘ電極ラインＸ１，・・・，Ｘｎに印加される電圧が接地電圧ＶＧから第２電圧ＶＳまで持続的に上昇する。ここで、第２ディスプレイ電極ラインとしてのＹ電極ラインＹ１，・・・，Ｙｎとアドレス電極ラインＡＲ１，・・・，ＡＢｍには第３電圧としての接地電圧ＶＧが印加される。これによって、第１ディスプレイ電極ラインとしてのＸ電極ラインＸ１，・・・，ＸｎとＹ電極ラインＹ１，・・・，Ｙｎとの間、及びＸ電極ラインＸ１，・・・，Ｘｎとアドレス電極ラインＡ１，・・・，Ａｍとの間に弱い放電が起きながらＸ電極ラインＸ１，・・・，Ｘｎの周囲に負極性の壁電荷が形成される。
【００３２】
リセット時間Ｒ４の壁電荷蓄積時間としての第２時間では、Ｙ電極ラインＹ１，・・・，Ｙｎに印加される電圧が第２電圧ＶＳから第２電圧ＶＳより第６電圧ＶＳＥＴだけさらに高い第１電圧ＶＳＥＴ＋ＶＳまで持続的に上昇する。ここで、Ｘ電極ラインＸ１，・・・，Ｘｎとアドレス電極ラインＡＲ１，・・・，ＡＢｍとには接地電圧ＶＧが印加される。これによって、Ｙ電極ラインＹ１，・・・，ＹｎとＸ電極ラインＸ１，・・・，Ｘｎとの間に弱い放電が起きる一方、Ｙ電極ラインＹ１，・・・，Ｙｎとアドレス電極ラインＡＲ１，・・・，ＡＢｍとの間にさらに弱い放電が起きる。ここで、Ｙ電極ラインＹ１，・・・，Ｙｎとアドレス電極ラインＡＲ１，・・・，ＡＢｍ間の放電よりＹ電極ラインＹ１，・・・，ＹｎとＸ電極ラインＸ１，・・・，Ｘｎ間の放電がさらに強くなる理由は、Ｘ電極ラインＸ１，・・・，Ｘｎの周囲に負極性の壁電荷が形成されているためである。これによって、Ｙ電極ラインＹ１，・・・，Ｙｎ周囲には負極性壁電荷が多く形成され、Ｘ電極ラインＸ１，・・・，Ｘｎ周囲には正極性の壁電荷が形成され、アドレス電極ラインＡＲ１，・・・，ＡＢｍの周囲には正極性の壁電荷が少なく形成される（図８参照）。
【００３３】
リセット時間Ｒ４の壁電荷配分時間としての第３時間では、Ｘ電極ラインＸ１，・・・，Ｘｎに印加される電圧が第２電圧ＶＳに維持された状態で、Ｙ電極ラインＹ１，・・・，Ｙｎに印加される電圧が第２電圧ＶＳから負極性電圧ＶＳＣまで持続的に下降する。ここで、アドレス電極ラインＡＲ１，・・・，ＡＢｍには接地電圧ＶＧが印加される。これによって、Ｘ電極ラインＸ１，・・・，ＸｎとＹ電極ラインＹ１，・・・，Ｙｎとの間の弱い放電によって、Ｙ電極ラインＹ１，・・・，Ｙｎ周囲の負極性の壁電荷の一部がＸ電極ラインＸ１，・・・，Ｘｎの周囲に移動する（図９参照）。
【００３４】
これによって、Ｘ電極ラインＸ１，・・・，Ｘｎの壁電位がアドレス電極ラインＡＲ１，・・・，ＡＢｍの壁電位より低く、Ｙ電極ラインＹ１，・・・，Ｙｎの壁電位より高くなる。これによって、続くアドレッシング時間Ａで選択されたアドレス電極ラインとＹ電極ラインとの間の対向放電に要求されるアドレッシング電圧が低くなりうる。
【００３５】
相等しい時間領域Ａ４ＭＳ４を有するアドレッシング時間Ａ４と混合ディスプレイ維持時間（図５のＭＳ４）において、アドレッシング時間Ａ４でのアドレッシング動作と混合ディスプレイ維持時間ＭＳ４でのディスプレイ維持動作とは交互になされる。
【００３６】
第１単位時間ＴＡでは第１ディスプレイ電極−ライン対グループＹＧ１に対するアドレッシング段階ＡＧ１が進行する。このために、あらゆるＸ電極ラインＸ１，・・・，Ｘｎに印加される電圧が第２電圧ＶＳに維持された状態で、負極性電圧ＶＳＣの走査電圧が第１ディスプレイ電極−ライン対グループＹＧ１のＹ電極ラインに順次に印加されると同時に、アドレス電極ラインＡＲ１，・・・，ＡＢｍにディスプレイデータ信号が印加される。これによって、第１ディスプレイ電極−ライン対グループの選択されたディスプレイセルに所定の壁電圧が生成される。より詳細には、選択されたディスプレイセルのＹ電極周囲に正極性壁電位が生成され、アドレス電極周囲に負極性壁電位が生成される。走査電圧が印加されていない間にはあらゆるＹ電極ラインＹ１，・・・，Ｙｎに正極性のバイアス電圧ＶＳＣ＿Ｈが印加される。
【００３７】
第４サブフィールドＳＦ４の階調加重値に比例した第２単位時間ＴＩではアドレッシングが完了した第１ディスプレイ電極−ライン対グループに対するディスプレイ維持段階Ｓ１１が進行する。このために、第１ディスプレイ電極−ライン対グループのＸ電極ラインとＹ電極ラインとに交流電圧が印加される。より詳細には、第１ディスプレイ電極−ライン対グループのＹ電極ラインとＸ電極ラインとに第２電圧ＶＳのパルスが交互に印加される。したがって、第２単位時間ＴＩに第１ディスプレイ電極−ライン対グループのＹ電極ラインとＸ電極ラインとに交互に印加されるパルスの印加回数、すなわち、放電回数は第４サブフィールドＳＦ４の階調加重値に比例する。
【００３８】
前記のような駆動方法によって、第３単位時間ＴＡでは第２ディスプレイ電極−ライン対グループに対するアドレッシング段階ＡＧ２が進行され、第４サブフィールドＳＦ４の階調加重値に比例した第４単位時間ＴＩではアドレッシングが完了した第１及び第２ディスプレイ電極−ライン対グループＹＧ１、ＹＧ２に対するディスプレイ維持段階Ｓ１２、Ｓ２１が同時に進行する。第５単位時間では第３ディスプレイ電極−ライン対グループＹＧ３に対するアドレッシング段階ＡＧ３が進行する。第４サブフィールドＳＦ４の階調加重値に比例した第６単位時間ではアドレッシングが完了した第１ないし第３ディスプレイ電極−ライン対グループに対するディスプレイ維持段階Ｓ１３、Ｓ２２、Ｓ３１が同時に進行する。
【００３９】
第４サブフィールドＳＦ４の必要ディスプレイ維持時間によって設定された共通ディスプレイ維持時間ＣＳ４では、あらゆるディスプレイ電極−ライン対グループに対してディスプレイ維持動作が行われる。すなわち、あらゆるＸＹ電極ライン対Ｘ１Ｙ１ないしＸｎＹｎに交流電圧が印加される。
【００４０】
補正ディスプレイ維持時間ＡＳ４では、第４サブフィールドＳＦ４の必要ディスプレイ維持時間が充足されていないディスプレイ電極−ライン対グループのそれぞれに対して相異なって設定された時間の間に交流電圧が印加されることによって、あらゆるディスプレイ電極−ライン対グループに対して必要ディスプレイ維持時間が充足される。例えば、補正ディスプレイ維持時間ＡＳ４の第１単位時間では第２ないし第８ディスプレイ電極−ライン対グループに対するディスプレイ維持段階が同時に進行する。ここで、第１ディスプレイ電極−ライン対グループＹＧ１のＹ電極ラインに接地電圧ＶＧだけ印加されるので、第１ディスプレイ電極−ライン対グループでディスプレイ維持放電が起きない。補正ディスプレイ維持時間ＡＳ４の第２単位時間では第３ないし第８ディスプレイ電極−ライン対グループに対するディスプレイ維持段階が同時に進行する。ここで、第１及び第２ディスプレイ電極−ライン対グループのＹ電極ラインに接地電圧ＶＧだけ印加されるので、第１及び第２ディスプレイ電極−ライン対グループでディスプレイ維持放電が起きない。
【００４１】
本発明は、前記実施の形態に限定されず、請求範囲で定義された発明の思想及び範囲内で当業者によって変形及び改良できる。
【産業上の利用可能性】
【００４２】
プラズマディスプレイ装置のように時分割駆動により階調ディスプレイを行う放電ディスプレイ装置において、ディスプレイ維持放電の精度が高まりうり、選択されたディスプレイセルで不完全なアドレッシングによってディスプレイ維持放電が起きない現象が効率的に防止できる。
【図面の簡単な説明】
【００４３】
【図１】通常的な３電極面放電方式のＰＤＰの構造を示す内部斜視図である。
【図２】図１のパネルの一ディスプレイセルの例を示す断面図である。
【図３】図１のＰＤＰの通常的な駆動装置を示すブロック図である。
【図４】本発明の一実施の形態によるアドレス−ディスプレイ混合駆動方法を示すタイミング図である。
【図５】本発明の他の実施の形態によるアドレス−ディスプレイ混合駆動方法を示すタイミング図である。
【図６】図５のアドレス−ディスプレイ混合駆動方法における第４サブフィールドをより詳細に示すタイミング図である。
【図７】図６の第４サブフィールドで各電極ラインに印加される駆動信号の電圧波形を示すタイミング図である。
【図８】図７のリセット時間でＹ電極ラインに漸進的な上昇電圧が印加された直後時点での何れか一つのディスプレイセルの壁電荷分布を示す断面図である
【図９】図７のリセット時間の終了時点での何れか一つのディスプレイセルの壁電荷分布を示す断面図である。
【符号の説明】
【００４４】
１  プラズマディスプレイパネル
１０  前面ガラス基板
１１、１５  誘電層
１２  保護層
１３  背面ガラス基板
１４  放電空間
１６  蛍光層
１７  隔壁
Ｘ１，・・・，Ｘｎ  Ｘ電極ライン
Ｙ１，・・・，Ｙｎ  Ｙ電極ライン
ＡＲ１，・・・，ＡＢｍ  アドレス電極ライン
Ｘｎａ、Ｙｎａ  透明電極ライン
Ｘｎｂ、Ｙｎｂ  金属電極ライン
ＳＦ１，・・・，ＳＦ５  サブフィールド
ＳＹ１，・・・，ＳＹ１２３  Ｙ電極駆動信号
６２  論理制御部、
ＳＸ１，・・・，ＳＸｎ  Ｘ電極駆動信号
６３  アドレス駆動部
ＳＡＲ１・・ＡＢｍ  ディスプレイデータ信号
６４  Ｘ駆動部
６５  Ｙ駆動部
６６  映像処理部
【図１】
2005122117.tif 000003
【図２】
2005122117.tif 000004
【図３】
2005122117.tif 000005
【図４】
2005122117.tif 000006
【図５】
2005122117.tif 000007
【図６】
2005122117.tif 000008
【図７】
2005122117.tif 000009
【図８】
2005122117.tif 000010
【図９】
2005122117.tif 000011